(57)【要約】【課題】流通段階の内容器を開封されにくくし、衝撃や悪戯などによって内容器が不用意に開封されるのを防止すると共に、内容器を外容器にセットする際には内容器を容易に開封させることができる二重容器を提供することを目的とする。【解決手段】内容物を収容する内容器２と、内容器２を収納可能な外容器３と、を備える二重容器１において、内容器２には、内容物を収容する内容器本体４と、内容器本体４の口部に被着されて口部を閉塞する蓋体５と、が備えられ、蓋体５には、内容器本体４の口部の外周面に沿って延びた摘み部５５が設けられ、内容器２が外容器３内に挿入されることで、摘み部５５の裏面が、外容器３の口部３０の外周面に形成された当接部３３に当接し、摘み部５５が、内容器本体４の口部の径方向外側に向けて押し出される。【選択図】図１
2010173724.tif 000002
【特許請求の範囲】
【請求項１】
内容物を収容する内容器と、該内容器を収納可能な外容器と、を備える二重容器において、
前記内容器には、内容物を収容する内容器本体と、該内容器本体の口部に被着されて該口部を閉塞する蓋体と、が備えられ、
該蓋体には、前記内容器本体の口部の外周面に沿って延びた摘み部が設けられ、
前記内容器が前記外容器内に挿入されることで、前記摘み部の裏面が、前記外容器の口部の外周面に形成された当接部に当接し、前記摘み部が、前記内容器本体の口部の径方向外側に向けて押し出されることを特徴とする二重容器。
【請求項２】
請求項１に記載の二重容器において、
前記摘み部の裏面には、凸リブが形成されており、
前記内容器が前記外容器内に挿入されることで、前記凸リブが前記当接部に当接されることを特徴とする二重容器。
【発明の詳細な説明】
【技術分野】
【０００１】
本発明は、内容器と外容器とを組み合わせた二重容器に関する。
【背景技術】
【０００２】
この種の二重容器として、従来、例えば下記特許文献１に示されるような、クリーム等の内容物を収容する内容器と、内容器を収容可能な外容器と、を備える構成が知られている。上記した内容器は、外容器に対して出し入れ可能なレフィール容器であり、例えば外容器とセットで、或いは、内容器単体で市場に流通される。そして、消費者によって外容器の内側に内容器を収納して使用され、また、外容器内に収納された内容器を取り外して新たな内容器に交換することで、外容器の再利用が図られる。
【０００３】
ところで、上記した内容器は、内容物を収容する内容器本体の口部を蓋体によって閉塞した状態で流通される。この蓋体は、例えば、内容器本体の口部に螺着されるねじキャップや、アンダーカット嵌合（打栓）される有頂筒状のキャップ体からなり、特にアンダーカット嵌合される蓋体の外周面には、一般的に径方向外側に突出した鍔状の摘み部が突設されている。このような構成の内容器では、内容器を外容器の内側に挿入する前に、或いは挿入後に、消費者が摘み部に指等を引っ掛けて蓋体を内容器本体から取り外して使用される。
【先行技術文献】
【特許文献】
【０００４】
【特許文献１】実用新案登録第２５８８２０１号公報
【発明の概要】
【発明が解決しようとする課題】
【０００５】
しかしながら、上記した従来の内容器を備える二重容器では、内容器が開封されやすい構成となっているため、内容器の流通段階において、搬送・陳列時の衝撃や悪戯などによって蓋体が外されて内容器が開封されるおそれがある。
【０００６】
本発明は、上記した従来の問題が考慮されたものであり、流通段階の内容器を開封されにくくし、衝撃や悪戯などによって内容器が不用意に開封されるのを防止すると共に、内容器を外容器にセットする際には内容器を容易に開封させることができる二重容器を提供することを目的としている。
【課題を解決するための手段】
【０００７】
本発明に係る二重容器は、内容物を収容する内容器と、該内容器を収納可能な外容器と、を備える二重容器において、前記内容器には、内容物を収容する内容器本体と、該内容器本体の口部に被着されて該口部を閉塞する蓋体と、が備えられ、該蓋体には、前記内容器本体の口部の外周面に沿って延びた摘み部が設けられ、前記内容器が前記外容器内に挿入されることで、前記摘み部の裏面が、前記外容器の口部の外周面に形成された当接部に当接し、前記摘み部が、前記内容器本体の口部の径方向外側に向けて押し出されることを特徴としている。
【０００８】
このような特徴により、内容器は、内容器本体の口部に蓋体が被着された状態で搬送されたり陳列されたりする。このとき、蓋体の摘み部は、内容器本体の口部の外周面に沿って延設されているので、摘み部に指等が掛かりにくい。
一方、内容器内の内容物を消費する際には、まず、内容器を、蓋体が被着された状態のまま外容器の内側に挿入する。このとき、蓋体の摘み部の裏面が、外容器の口部外周面の当接部に当接して径方向の外側に押し出される。これにより、摘み部が内容器本体の口部の径方向外側に張り出された状態となる。その後、摘み部を指等で摘み、蓋体を内容器本体から取り外す。このとき、摘み部が内容器本体の口部の径方向外側に張り出された状態となっているため、摘み部に指等が掛かりやすい。
【０００９】
また、本発明に係る二重容器は、前記摘み部の裏面に凸リブが形成されており、前記内容器が前記外容器内に挿入されることで、前記凸リブが前記当接部に当接されることが好ましい。
【００１０】
これにより、内容器を外容器の内側に挿入した際、摘み部の裏面と外容器の当接部との間に隙間が形成されるので、摘み部に指等が更に掛かりやすくなる。
【発明の効果】
【００１１】
本発明に係る二重容器によれば、流通段階の内容器は、蓋体の摘み部が内容器本体の口部外周面に沿って延設され、摘み部に指等が掛かりにくくなっているため、蓋体が内容器本体から取り外されにくく、内容器を開封されにくい。これにより、衝撃や悪戯などによって内容器が不用意に開封されるのを防止することができる。
また、蓋体が被着された状態の内容器を外容器の内側に挿入することで、摘み部が内容器本体の口部の径方向外側に張り出され、摘み部に指等が掛かりやすくなるので、内容器を容易に開封させることができる。
【図面の簡単な説明】
【００１２】
【図１】本発明の実施の形態を説明するための二重容器の斜視図である。
【図２】本発明の実施の形態を説明するための平面図であり、（ａ）は外容器を上方からみた平面図であり、（ｂ）は内容器を下方からみた平面図である。
【図３】図２に示すＡ−Ａ´間の半断面図である。
【図４】図２に示すＢ−Ｂ´間の半断面図である。
【図５】本発明の実施の形態を説明するための内容器及び外容器の部分断面図である。
【図６】本発明の実施の形態を説明するための二重容器の断面図である。
【発明を実施するための形態】
【００１３】
以下、本発明に係る二重容器の実施の形態について、図１から図６に基いて説明する。
なお、図３に示す鎖線Ｏは二重容器１の中心軸線を示しており、以下、単に「軸線Ｏ」と記す。また、本実施の形態では、軸線Ｏに沿った方向を「軸方向」とし、軸線Ｏに直交する方向を「径方向」とする。また、本実施の形態では、後述する内容器２及び外容器３の口部４０，３０側（図３における上側）を「上側」とし、その反対側（図３における下側）を「下側」とする。
【００１４】
図１に示すように、二重容器１は、クリーム等の内容物を収容した内容器２と、その内容器２を収納可能な外容器３と、を備えている。
【００１５】
外容器３は、上端が開放された有底筒状の外装容器である。この外容器３は、例えばポリオレフィン系、ポリエステル系、ポリスチレン系等の合成樹脂や、金属、ガラス等からなり、例えば射出成形、ブロー成形、プレス成形等によって成形される。外容器３の概略構成としては、軸線Ｏに沿って延設された略円筒形状の周壁部３１と、その周壁部３１の下側部分に設けられた底壁部３２と、を備えている。
【００１６】
上記した周壁部３１の上端部には、外周面が全周に亘って段差状に縮径された口部３０が形成されている。この口部３０の外周面には、略螺旋状に延設された雄ねじ３３（本発明の当接部に相当する。）が形成されている。また、上記した周壁部３１の上部の内周面には、周壁部３１の上端（口部３０の上端）から軸方向に沿って延在する凹溝状のガイド溝３４が形成されている。このガイド溝３４は、二本平行に形成されている。
【００１７】
また、周壁部３１には、後述する内容器２（内容器本体４）の押圧部４３が嵌め込まれる切欠部３５が形成されている。この切欠部３５は、周壁部３１の上部（口部３０）を側面視凹状に切り欠いた側面視凹状の切欠部である。切欠部３５は、周壁部３１の上端（口部３０の上端）から軸方向に沿って前記口部３０の下端の下方まで延在されており、口部３０の下方の周壁部３１のうち、外周部分を残して内周部分が切り欠かれている。すなわち、切欠部３５の下部は、平面視において径方向内側に向けて開放された凹形状となっており、切欠部３５の下部の径方向外側には、周壁部３１の外周面に沿って形成された壁部３７が配設されている。この壁部３７の内面（径方向内側の面）には、周方向に延在した断面略半円形状の被係止部３６が突設されている。
また、図２（ａ）に示すように、上記したガイド溝３４及び切欠部３５は、それぞれ軸線Oを挟んで一対ずつ配設されており、これら一対のガイド溝３４と一対の切欠部３５とは、互いに直交する位置に配設されている。
【００１８】
図１、図３に示すように、内容器２は、上記した外容器３に対して出し入れ可能な容器であり、消費者によって適宜交換可能なレフィール容器である。この内容器２は、内容物を収容する内容器本体４と、内容器本体４の口部４０に被着されてその口部４０を閉塞する蓋体５と、を備えている。
【００１９】
内容器本体４は、上端が開放された有底筒状の内装容器である。この内容器本体４は、例えばポリオレフィン系、ポリエステル系、ポリスチレン系等の合成樹脂からなり、例えば射出成形やブロー成形等によって成形される。なお、内容器本体４は、例えばプレス成形等によって形成される薄肉の金属製の容器であってもよい。内容器本体４の概略構成としては、軸線Ｏに沿って延設された略円筒形状の周壁部４１と、その周壁部４１の下側部分に設けられた底壁部４２と、を備えている。
【００２０】
内容器本体４の周壁部４１の上端部には、全周に亘って径方向外側に拡径された口部４０が形成されており、その口部４０の上端部の内周面には、内径が全周に亘って段差状に拡径された拡径部４７が形成されている。また、内容器本体４の周壁部４１の外径は、外容器３の周壁部３１の内径以下となっており、内容器本体４は外容器３の内側に挿入可能となっている。また、内容器本体４の外周高さは、外容器３の内周高さよりも高くなっており、図３、図４に示すように、内容器本体４が外容器３内に挿入されると、内容器本体４の上端部（口部４０）は、外容器３の口部３０から上方に向けて突出され、外容器３の口部３０の直上に配置される。
【００２１】
また、内容器本体４の口部４０には、内容器２を外容器３の内側に挿入したときに上記した切欠部３５に嵌め込まれる押圧部４３が設けられている。この押圧部４３は、口部４０の下端から軸方向に沿って垂下された略矩形の板片であり、径方向外側の押圧面４３ａが押圧されることで上端を支点にして径方向内側に向けて回動する垂壁部である。押圧部４３の内面（径方向内側の面）は、内容器本体４の周壁部４１の外周面との間に隙間をあけて対向されており、押圧部４３は、径方向内側に向かって弾性的に撓み変形可能となっている。また、図３に示すように、口部４０の外周面には、周方向に延在する凹溝状の段差部４６が形成されている。この段差部４６は、口部４０の外周面全周に亘って延設されており、この段差部４６に後述する蓋体５の外筒部５１がアンダーカット嵌合されている。また、段差部４６は、口部４０と押圧部４３との接続部分に配設されており、これにより、押圧部４３は段差部４６を支点にして撓み変形される。また、図１、図３に示すように、押圧部４３の外面（径方向外側の面）には、周方向（押圧部４３の横方向）に延在した係止部４４が突設されている。この係止部４４は、上記した外容器３の被係止部３６に対して下方から係止されており、これにより、押圧部４３は外容器３の切欠部３５にアンダーカット嵌合される。
【００２２】
また、図１、図４に示すように、内容器本体４の周壁部４１の外周面には、上記したガイド溝３４に摺動可能に嵌合されるガイド部４５が突設されている。このガイド部４５は、軸方向に沿って平行に延設された二本の凸条部からなる。
また、図２（ｂ）に示すように、上記したガイド部４５及び押圧部４３は、それぞれ軸線Oを挟んで一対ずつ配設されており、これら一対のガイド部４５と一対の押圧部４３とは、互いに直交する位置に配設されている。
【００２３】
蓋体５は、図１、図３に示すように、内容器２が外容器３に装着されるまでの間、内容器本体４内を密封するための蓋であり、例えばポリエチレンやポリプロピレン等の合成樹脂からなり、例えば射出成形や圧縮成形等によって成形される。蓋体５の概略構成としては、軸線Ｏに対して垂直に配置されて内容器本体４の口部４０を閉塞する天壁部５０と、天壁部５０の外縁から垂下されて軸線Ｏに沿って延設された外筒部５１と、外筒部５１の内側に配設されていると共に天壁部５０の下面に垂設された内筒部５２と、を備えている。
【００２４】
内筒部５２は、内容器本体４の口部４０の内側に嵌合される円筒形状の筒部である。この内筒部５２の外周面は内容器本体４の口部４０の内周面に摺動可能に密接されており、これにより、内容器本体４と蓋体５とはシールされている。
【００２５】
外筒部５１は、内容器本体４の口部４０の外周に嵌合されると共に周方向に捲り取り可能ないわゆる改竄防止リングである。すなわち、外筒部５１は、帯状の壁部が内容器本体４の口部４０の外周面に沿って周設されて平面視略Ｃ字形状を成しており、外筒部５１の周方向の一端面と他端面とが、隙間をあけて対向配置されていると共に、外筒部５１の上端と天壁部５０の外縁とが、天壁部５０よりも薄肉で破断容易な弱化部５４を介して全周に亘って連結されている。
【００２６】
また、図１、図４に示すように、外筒部５１の周方向の一端部には、蓋体５を内容器本体４から取り外す際、つまり、外筒部５１を捲り取る際に指等で摘むための摘み部５５が設けられている。この摘み部５５は、外筒部５１の周方向の一端部から垂下された側面視略矩形の板部であり、内容器本体４の口部４０の外周面に沿って延設されている。また、摘み部５５は、口部４０の下端の下方まで延設されており、摘み部５５の下部は、口部４０の下端よりも下向きに突出されている。この摘み部５５の裏面（口部４０の外周面に対向する面）から軸線Ｏまでの距離は、外容器３の口部３０の最大径（雄ねじ３３の外周面から軸線Ｏまでの距離）よりも小さくなっている。また、摘み部５５の裏面には凸リブ５６が突設されている。この凸リブ５６は、内容器本体４の口部４０側に向けて突出した突出部であり、軸方向に沿って延設した凸条部である。
【００２７】
次に、上記した構成の二重容器１の作用について説明する。
【００２８】
まず、流通段階における二重容器１は、図１、図２に示すように、内容器２が外容器３から外れた状態で搬送されたり陳列されたりする。このとき、内容器本体４の口部４０には蓋体５が被着されており、この蓋体５によって内容器本体４の口部４０が閉塞されて内容器本体４内が密封されている。これにより、内容器本体４内に収容された内容物の変質などが防止される。また、蓋体５の摘み部５５は、内容器本体４の口部４０の外周面に沿って延設されているので、摘み部５５に指等が掛かりにくい。
【００２９】
次に、二重容器１を使用する際には、まず、図３、図４に示すように、内容器２と外容器３との周方向の相対的な位置合わせを行いつつ、内容器２を、蓋体５が被着された状態のまま外容器３の内側に挿入する。すなわち、内容器本体４のガイド部４５と外容器３のガイド溝３４との位置を合わせると共に、内容器本体４の押圧部４３と外容器３の切欠部３５との位置を合わせ、その後、内容器２を外容器３の内側に挿入する。これにより、ガイド部４５がガイド溝３４内に挿入されてガイド溝３４内に嵌合されると共に、押圧部４３が切欠部３５内に挿入されて押圧部４３の係止部４４が切欠部３５の被係止部３６にアンダーカット嵌合される。その結果、内容器２（内容器本体４）と外容器３との相対的な周方向の回転が規制されると共に、内容器２（内容器本体４）と外容器３との相対的な軸方向の移動が規制され、内容器２が外容器３内に固定される。
【００３０】
また、内容器２が外容器３内に挿入されると、図５に示すように、蓋体５の摘み部５５の裏面に設けられた凸リブ５６が、外容器３の口部３０の外周面に設けられた雄ねじ３３に当接して径方向の外側に押し出される。その結果、摘み部５５が内容器本体４の口部４０の径方向外側に張り出された状態となり、摘み部５５の裏面と外容器３の雄ねじ３３との間に隙間が形成される。
【００３１】
次に、蓋体５を内容器本体４から取り外す。詳しく説明すると、まず、摘み部５５を指等で摘む。このとき、図５に示すように、摘み部５５が径方向外側に張り出されているので、摘み部５５に指等が掛かりやすく、摘み部５５を容易に摘むことが可能である。続いて、摘み部５５を内容器本体４に対して相対的に周方向に沿って回転させる。これにより、弱化部５４が外筒部５１の周方向一端側から破断されて、蓋体５の外筒部５１が周方向一端側から捲り取られていき、蓋体５の外筒部５１が天壁部５０から切り離されていく。続いて、蓋体５の天壁部５０を引き上げて蓋体５の内筒部５２を内容器本体４の口部４０内から抜き出し、蓋体５を内容器本体４の口部４０から取り外す。
以上により、蓋体５が内容器本体４から取り外されると共に内容器本体４が外容器３内に装着される。
【００３２】
次に、図６に示すように、内容器本体４の口部４０に浅皿状の中蓋６を嵌合させ、その後、有頂筒状の外装蓋７を外容器３に螺着させる。上記した中蓋６の外縁部は、内容器本体４の口部４０の上端部に形成された拡径部４７に全周に亘って係止される。また、外装蓋７の内側には、円盤状のパッキン８が嵌合されており、外装蓋７の天壁部７０の下面と内容器本体４の口部４０の上端面との間にパッキン８の外周部が挟み込まれて、内容器本体４内が密封される。また、外装蓋７の周壁部７１の内周面には雌ねじ７２が形成されており、この雌ねじ７２が外容器３の雄ねじ３３に螺合される。
【００３３】
上記した二重容器１によれば、内容器２を搬送したり陳列したりする内容器２の流通段階においては、蓋体５の摘み部５５が内容器本体４の口部４０の外周面に沿って延設され、摘み部５５に指等が掛かりにくくなっているため、蓋体５が内容器本体４から取り外されにくく、内容器２を開封されにくい。これにより、衝撃や悪戯などによって内容器２が不用意に開封されるのを防止することができる。
【００３４】
また、蓋体５が被着された状態のまま内容器２を外容器３の内側に挿入することで、摘み部５５が内容器本体４の口部４０の径方向外側に張り出され、摘み部５５に指等が掛かりやすくなるので、内容器２を外容器３に挿入させた状態においては内容器２を容易に開封することができる。これにより、レフィール容器である内容器２を外容器３内に容易に収容させることができ、消費者が内容器２を外容器３に入れて使用する際の操作性を向上させることができる。
【００３５】
また、摘み部５５の裏面に凸リブ５６が設けられ、摘み部５５の裏面と外容器３の雄ねじ３３との間に隙間が形成されるので、摘み部５５に更に指等が掛かりやすくなり、内容器２をより容易に開封することができる。
【００３６】
以上、本発明に係る二重容器の実施の形態について説明したが、本発明は上記した実施の形態に限定されるものではなく、その趣旨を逸脱しない範囲で適宜変更可能である。
具体的に説明すると、本発明は、蓋体５が被着された内容器２の上部をシュリンクフィルムで被覆してもよい。これにより、衝撃や悪戯などによって内容器本体４から蓋体５が取り外されることを確実に防止することができる。
【００３７】
また、上記した実施の形態では、蓋体５の外筒部５１が、天壁部５０に対して弱化部５４を介して連結された改竄防止リングとなっており、その外筒部５１に摘み部５５が設けられた構成となっているが、本発明は、他の構成の蓋体であってもよい。例えば、改竄防止リングを備えていない通常の有頂筒状の蓋体の外筒部に摘み部が設けられた構成であってもよい。
【００３８】
また、上記した実施の形態では、内容器本体４に押圧部４３やガイド部４５が設けられ、外容器３に切欠部３５やガイド溝３４が設けられているが、本発明は、これらを適宜省略することも可能である。
【００３９】
また、上記した実施の形態では、内容器本体４が外容器３内に挿入されることで、蓋体５の摘み部５５が外容器３の雄ねじ３３に当接して径方向外側に押し出される構成となっているが、本発明は、外容器３の雄ねじ３３以外の当接部に摘み部５５が当接して径方向外側に押し出される構成であってもよく、例えば、外容器３の口部３０の上端部に摘み部５５が当接して径方向外側に押し出される構成であってもよい。
また、上記した実施の形態では、外容器３の口部３０に外装蓋７が螺着される構成となっているが、本発明は、外装蓋がアンダーカット嵌合や圧入によって外容器の口部に装着されてもよい。
【００４０】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００４１】
１  二重容器
２  内容器
３  外容器
４  内容器本体
５  蓋体
３０  口部
３３  雄ねじ（当接部）
４０  口部
５５  摘み部
５６  凸リブ
【図１】
2010173724.tif 000003
【図２】
2010173724.tif 000004
【図３】
2010173724.tif 000005
【図４】
2010173724.tif 000006
【図５】
2010173724.tif 000007
【図６】
2010173724.tif 000008